(57)【要約】【課題】制振性を有しつつも、防火性の高いシャッター装置を提供する。【解決手段】壁部に形成された開口部を遮蔽可能なシャッター装置（１）において、開口部を開閉可能に支持されたシャッターカーテン（１４）と、シャッターカーテンが収納される箱状のケース（２１）と、ケースの内面に板面を重ねるように配置される板状の制振部材（２４）と、を備え、制振部材が無機物により形成されている。【選択図】図２
2015124574.tif 000002
【特許請求の範囲】
【請求項１】
壁部に形成された開口部を遮蔽可能なシャッター装置において、
前記開口部を開閉可能に支持されたシャッターカーテンと、
前記シャッターカーテンが収納される箱状のケースと、
前記ケースの内面に板面を重ねるように配置される板状の制振部材と、を備え、
前記制振部材が無機物により形成されている、シャッター装置。
【請求項２】
前記制振部材が金属である請求項１に記載のシャッター装置。
【請求項３】
前記制振部材がリベットにより前記ケースに固定されている請求項１又は２に記載のシャッター装置。
【発明の詳細な説明】
【技術分野】
【０００１】
本発明は建物開口部に設置されるシャッター装置に関する。
【背景技術】
【０００２】
シャッター装置は建物の開口部の室外側に配置され、シャッターカーテンを開閉することにより開口部を開放、閉鎖することができる。そしてシャッターカーテンは開放時にはシャッター装置の上部に設けられたシャッターケースの内側に巻き取られて収納されている。シャッター装置により開口部を閉鎖するときにはシャッターケースからシャッターカーテンを巻き出す。
【０００３】
シャッター装置は開口部の室外側に配置されるので屋外に設置されることが多く、シャッターケースは屋外側に突出している。これにより雨天時には雨滴がシャッターケースに当たって音を発生させることがある。この音が大きいと不快に思うことがあり、防ぐ必要がある。
【０００４】
これに対して特許文献１には制振部材としてブチルゴムシートをシャッターケースの内面に貼り付けることが開示されている。また特許文献１には、防火性の問題についても記載されており、制振部材が落下して発火することにより外に火炎が出ることが説明されている。そして特許文献１には、制振部材が剥がれても落下しないケースの構造を適用している。
【先行技術文献】
【特許文献】
【０００５】
【特許文献１】特開２０１３−２０４２４２号公報
【発明の概要】
【発明が解決しようとする課題】
【０００６】
しかしながら、特許文献１に記載のようなシャッター装置では、通常に比べて構造が複雑になってしまう。また、制振部材は可燃性であり、何らかの原因で制振部材が落下した場合は発火する虞があった。
そして、制振部材を単純に難燃性の部材としただけでは、防火性能は満足されるものの、ブチルゴムシートを使用する場合と比較して制振性能が低下するという問題があった。
【０００７】
そこで本発明はこのような問題点に鑑み、制振性を有しつつも、防火性の高いシャッター装置を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１に記載の発明は、壁部に形成された開口部を遮蔽可能なシャッター装置（１）において、開口部を開閉可能に支持されたシャッターカーテン（１４）と、シャッターカーテンが収納される箱状のケース（２１）と、ケースの内面に板面を重ねるように配置される板状の制振部材（２４）と、を備え、制振部材が無機物により形成されている、シャッター装置である。
【００１０】
請求項２に記載の発明は、請求項１に記載のシャッター装置（１）において、制振部材（２４）が金属である。
【００１１】
請求項３に記載の発明は、請求項１又は２に記載のシャッター装置（１）において、制振部材（２４）がリベット（２４ａ）によりケース（２１）に固定されている。
【発明の効果】
【００１２】
本発明のシャッター装置によれば、従来と同等以上の制振性を有しつつも、高い防火性を備えるシャッター装置となる。
【図面の簡単な説明】
【００１３】
【図１】１つの形態を説明する図でありシャッター装置１の正面図である。
【図２】シャッター装置１の断面図である。
【図３】シャッター装置１のうち巻き取り部２０に注目した断面図である。
【図４】制振部材２４の配置を説明する図である。
【発明を実施するための形態】
【００１４】
本発明の上記した作用及び利得は、次に説明する発明を実施するための形態から明らかにされる。以下本発明を図面に示す実施形態に基づき説明する。しかし本発明は当該実施形態に限定されるものではない。
【００１５】
図１は１つの形態にかかるシャッター装置１を室外側からみた正面図である。図１では説明のため、隠蔽されている一部の構成部材も透視して表示するとともにシャッター装置１が閉鎖している姿勢を表している。図２は、図１にＩＩ−ＩＩで示した線による断面図である。図２では紙面左が室外側、紙面右が室内側となる向きである。なお図２には、シャッター装置１の室内側に配置されている開口部装置２を併せて表している。本形態では引き戸式の開口部装置２を適用しているが、これに限らず公知の開口部装置を用いることができる。
【００１６】
シャッター装置１は、開閉部１０と、該開閉部１０の上端に具備される巻取り部２０と、を備えている。開閉部１０は、実際に建物開口部の開放、閉鎖が行われる部位である。巻取り部２０は、シャッター装置１の開放の姿勢において、後で説明するシャッターカーテン１４を巻取り収納する部位である。以下に各構成について詳しく説明する。
【００１７】
開閉部１０は、ガイドレール１１、１２、横材１３、及びシャッターカーテン１４を備えている。ガイドレール１１、１２は、所定の間隔を有して平行に立設された２本の長尺部材で、長手方向に直交する断面が略コ字状である。ガイドレール１１、１２は当該コ字状である開口部を対向させるように設置される。横材１３はガイドレール１１、１２の上部を渡すように取り付けられた長尺部材である。
【００１８】
シャッターカーテン１４は、上下に連結された複数のスラット１５、及び下端に設けられた座板１６を備えている。図１及び図２からわかるように、スラット１５は、シャッターカーテン１４の閉鎖の姿勢で、長手方向を水平に、幅方向を鉛直に配置される長尺の略板状の部材である。そして上下方向に隣り合うスラット１５の端部同士が、所定の回動が許容されて連結されている。これにより巻取りシャフト２３にシャッターカーテン１４を適切に巻取ることができる。座板１６は、最下端のスラット１５に沿って配置される長尺部材で、図２に表れているように、その上端にスラット１５の下端が係合されている。
【００１９】
以上のような構成部材を有する開閉部１０は、シャッターカーテン１４の左右両端部を２本のガイドレール１１、１２のコ字状の開口から内側に包含させるように配置する。このときシャッターカーテン１４はガイドレール１１、１２に固定はされないので、シャッターカーテン１４はガイドレール１１、１２の長手方向には移動が可能であり、これと直交する方向（図１の紙面奥／手前方向）の移動は制限される。これによりシャッターカーテン１４を適切にガイドレール１１、１２に沿って上下に移動させることができる。
【００２０】
次に巻取り部２０について説明する。図３は図２のうち巻取り部２０の部位を拡大して表した図である。巻取り部２０は、ケース２１、ブラケット２２、巻取りシャフト２３、及び制振部材２４を備えている。
【００２１】
ケース２１は、ブラケット２２、巻取りシャフト２３、及び制振部材２４をその内側に隠蔽する箱状の部材である。これにより各構成部材を塵埃等から保護し装置寿命を伸ばしたり、装置の動作の信頼性を向上させたりすることができる。このケース２１は耐候性に優れた材料により構成されていることが好ましく、かかる観点から表面に防錆処理をした金属が好ましい。金属としては例えば、鋼やアルミニウム等を挙げることができる。
【００２２】
ブラケット２２は、板面が向かい合うように水平方向に所定の間隔で配置された板状の部材で、巻き取りシャフト２３の軸受けとなる部材である。従ってブラケット２２は軸受として機能するための強度を有してなり、かかる観点から鋼により構成されていることが好ましい。
【００２３】
巻取りシャフト２３は、シャッターカーテン１４の左右幅方向（図１の紙面左右方向）に沿って水平に設けられた円筒状の部材で、該円筒の中心軸を軸として回動可能に設置されている。当該軸の両端部は上記したブラケット２２に回動可能に保持されている。そして、巻取りシャフト２３の外周の所定部分にはシャッターカーテン１４の上端が固定されている。
【００２４】
制振部材２４は、ケース２１に当たる雨滴によりケース２１が振動し、これにより音が発生することを抑制する機能を有する部材である。
本発明では制振部材２４は、これ自体が燃えたり、可燃性ガスを発生しない無機物からなる板材である。より具体的な例としては例えば鋼板、アルミニウム板、鉛板、セラミックス板等により形成できる。
制振部材２４の厚さは特に限定されることはないが、０．３ｍｍ以上２ｍｍ以下程度の厚さでも制振効果を発揮することができる。このような厚さであれば従来のブチルゴムよりも薄くすることができ、ケース２１の内側空間をより広く利用することも可能である。
【００２５】
図４にはケース２１を室外側（図３の紙面左側、図１と同じ側）から見て、制振部材２４が配置された部位を透視して示した図を表した。図２〜図４よりわかるように、制振部材２４は、ケース２１のうち上面を形成する部材の少なくとも一部に配置され、板面がケース２１の内側に重ねられるように固定されている。この固定方法は特に限定されることはないが、粘着テープ及び／又はリベット２４ａによる固定が好ましい。一方、ケース２１の長手方向については図４からわかるように所定の範囲に亘って配置される。本形態では左右及び中央の合計３か所に一定の間隔をあけて配置されているが、これに限定されることはなく、ケース長手方向の全てに亘って延びる１枚の制振部材であってもよい。
【００２６】
発明者らによりこのような制振部材２４であれば、ブチルゴム等のような従来の制振部材と同等又はこれ以上の制振性能を有するとの知見を得た。
さらには、このような制振部材２４によれば、火災時等に熱を受けた場合であっても制振部材２４が燃えない又は制振部材２４から可燃性ガスを発生しないので、発火の虞がない。これは制振部材２４が火災等により落下するか否かにかかわらず発火することがないので防火性にきわめて有用な効果を奏する。また、制振部材２４をリベット２４ａにより固定すれば、落下の虞も低減することができる。
【００２７】
また、制振部材は、その板面がケースの面に密着して接触面積が大きくなるように構成され、さらには制振部材自体が重いことで、制振効果を高めることができる。すなわち、高い制振効果を発揮する観点からは、制振部材は剛性が高い金属板であることが最も好ましい。
【００２８】
また、制振部材２４によれば、これを耐候性を有する金属で形成すればケースの外側に配置しても同様の効果を奏するものとなる。さらには金属は加工性に優れることから、ケース２１との接触面積を確保した上で、凹凸をつけたりリブを形成する等してさらに制振効果を高める加工を施してもよい。
【００２９】
以上のようなシャッター装置１は、通常のシャッターと同様に、例えば建物開口部の室外側に配置され当該建物開口部の開放及び閉鎖を切り替えることができる。そして、制振部材２４により従来と同等又はそれ以上の制振性を確保することが可能となる。これに加え、シャッター装置１では制振部材２４により、火災時には上記したように従来に比べて高い防火性を有するものとなる。
【符号の説明】
【００３０】
１  シャッター装置
１０  開閉部
１１  ガイドレール
１２  ガイドレール
１３  横材
１４  シャッターカーテン
１５  スラット
１６  座板
２０  巻取り部
２１  ケース
２２  ブラケット
２３  巻取りシャフト
２４  制振部材
【図１】
2015124574.tif 000003
【図２】
2015124574.tif 000004
【図３】
2015124574.tif 000005
【図４】
2015124574.tif 000006